(57)【特許請求の範囲】
【請求項１】
搬送シート材上に、マーキングシートが張り付けられてなるマーキングシート用積層シートにおいて、
前記搬送シート材の搬送方向両側端部に、両側縁に対して平行に所定のピッチで搬送用孔部が形成されており、
搬送方向に垂直に対向する少なくとも一対の前記搬送用孔部が、互いに異なる形状を有することを特徴とするマーキングシート用積層シート。
【請求項２】
前記搬送シート材の一方の側端部に形成された搬送用孔部同士が互いに同一の形状を有し、他方の側端部に形成された搬送用孔部同士が互いに同一の形状を有することを特徴とする請求項１に記載のマーキングシート用積層シート。
【請求項３】
前記搬送シート材が透明であることを特徴とする請求項１又は２に記載のマーキングシート用積層シート。
【発明の詳細な説明】
【０００１】
【発明の属する技術分野】
本発明は、マーキングシート用積層シートに関し、特に、マーキングシートを所定の文字、図柄等に沿って切断する際に、切断装置への表裏の装填ミスを効果的に防止し得るマーキングシート用積層シートに関する。
【０００２】
【従来の技術】
従来より、ウインドブレーカー等のスポーツ用衣料に、チーム名、背番号等の表示を行い得るマーキングシートが知られている。斯かるマーキングシートは、所定の文字、図柄等を表す形状に切断した後、衣料の基布に貼付して用いられるものであり、色表面層及びホットメルト接着剤層から形成されている。マーキングシートには、前記色表面層を保護するべく、保護フィルムが張り付けられており（以下、この状態のものをマーキングシート用積層シートという）、使用時には、加熱することにより基布に貼付された後、前記保護フィルムが剥がされる。
【０００３】
ここで、マーキングシートを所定の文字等を表す形状に切断するべく、切断装置が使用される。この際、マーキングシート用積層シートは、前記保護フィルムを搬送シート材として、切断装置に装填され、順次長手方向に搬送することにより所定の位置で所定の切断がなされる。
【０００４】
マーキングシート用積層シートを切断装置に装填し、搬送し得るように、マーキングシート用積層シートを構成する搬送シート材の両側端部には、所定のピッチで同一形状の搬送用孔部が形成されている。一方、切断装置には、周方向に所定のピッチで前記孔部に対応する形状のピンが形成された一対のスプロケットが設置されており、装填に際しては、前記ピンに前記搬送用孔部を適切に係合させる必要がある。
【０００５】
【発明が解決しようとする課題】
しかしながら、一般に、マーキングシート用積層シートは、表裏面共に透明の部材で形成されており、且つ、搬送用孔部の形状が全て同一であるため、表裏を肉眼で判別することが困難な場合が多い。すなわち、マーキングシート用積層シートは、色表面層を形成するウレタン層と、透明のホットメルト接着剤層とが積層されてなるマーキングシートが、前記ウレタン層を保護するための透明の保護フィルム（搬送シート材）、例えば、ポリエチレンテレフタレート（ＰＥＴ）層に張り付けられた構成であるため、表裏面は共に透明であり、表裏を間違いなく判別することは困難である。
【０００６】
従って、表裏を反対にして装填してしまい、正しく切断できなかったり、保護フィルムが無理に切断されることにより破損してしまう場合があるという問題があった。
【０００７】
本発明は、斯かる従来技術の問題点を解決するべくなされたもので、表裏の判別が容易であり、切断装置への装填ミスを効果的に防止し得るマーキングシート用積層シートを提供することを目的とする。
【０００８】
【課題を解決するための手段】
斯かる課題を解決するべく、本発明は、搬送シート材上に、マーキングシートが張り付けられてなるマーキングシート用積層シートにおいて、前記搬送シート材の搬送方向両側端部に、両側縁に対して平行に所定のピッチで搬送用孔部が形成されており、搬送方向に垂直に対向する少なくとも一対の前記搬送用孔部が、互いに異なる形状を有することを特徴とするマーキングシート用積層シートを提供するものである。
【０００９】
斯かる発明によれば、搬送方向に垂直に対向する少なくとも一対の搬送用孔部が、互いに異なる形状を有するため、マーキングシート用積層シートを搬送方向に垂直に見た場合に、一方の形状を有する搬送用孔部を左右いずれに配置するのが適正であるかによって表裏を容易に判断することができる。
【００１０】
好ましくは、前記搬送シート材の一方の側端部に形成された搬送用孔部同士が互いに同一の形状を有し、他方の側端部に形成された搬送用孔部同士が互いに同一の形状を有するものとされる。
【００１１】
斯かる発明によれば、マーキングシート用積層シートを搬送方向に見た場合、各側端部には全て同一の形状の搬送用孔部が配列される一方、搬送方向に垂直に見た場合には、異なる形状の搬送用孔部が配列されているため、表裏の識別が極めて容易である。
【００１２】
前記搬送シート材が透明なものであっても表裏の識別は容易である。
【００１３】
なお、本明細書における、形状が「同一」の語は、物理的に完全な同一であることのみを意味するものではなく、発明の性質上、人間の肉眼で同一とみなせる範囲の同一をも含む意味として用いる。逆に、形状が「異なる」の語は、人間の肉眼で異なるとみなせる範囲を意味するものとして用いる。
【００１４】
【発明の実施の形態】
以下、添付図面を参照しつつ本発明の実施形態について説明する。
図１は、本発明の第１の実施形態に係るマーキングシート用積層シートを部分的に表す平面図であり、図２は、図１に示すマーキングシート用積層シートを厚み方向に拡大して表す正面図である。
【００１５】
図２に示すように、本実施形態に係るマーキングシート用積層シート１０ａは、マーキングシート２０が、保護フィルムとしての機能をも奏するポリエチレンテレフタレート（ＰＥＴ）からなる搬送シート材３０に張り付けられた構成である。マーキングシート２０は、ウレタン層２０１及びホットメルト接着剤層２０２が積層されて形成されている。また、マーキングシート用積層シート１０ａを形成する搬送シート材３０の両側端部には、搬送用孔部１１ａ、１２ａが形成されている。なお、本実施形態では、搬送シート材３０をマーキングシート２０よりも搬送方向に垂直（図２の紙面の左右方向）に延出させた構成とし、搬送シート材３０のみに孔部が形成された例を示している。本発明は、これに限らず、搬送シート材３０とマーキングシート２０との両側端部が面一になるように形成し、搬送シート材３０のみならずマーキングシート２０にも孔部を形成することも可能である。また、ホットメルト接着剤層の上面に他の保護フィルムを貼り付けた構成とすることも可能である。
【００１６】
図１に示すように、搬送用孔部１１ａ、１２ａは、マーキングシート用積層シート１０ａの搬送方向（図１の矢符Ｘの方向）側端部に、側縁に対して平行に所定のピッチで形成されている。切断装置への装填に際し、搬送用孔部１１ａ及び１２ａのいずれか一対又は複数の対が、切断装置に設けられた一対のスプロケットのピンに係合される。この状態でスプロケットが回転することにより、ピンに係合する孔部１１ａ、１２ａが順次変化し、マーキングシート用積層シート１０ａは長手方向に搬送されることになる。
【００１７】
ここで、図１に示すように、本実施形態では、搬送用孔部１１ａの一つ（図中符号Ａで示す）が、他の孔部１１ａ及び１２ａと異なる形状を有するものとされている。すなわち、特に符合Ａで示す搬送用孔部１１ａは、四角形とされているが、他の搬送用孔部１１ａ、１２ａは、円形とされている。よって、搬送方向に垂直に対向する一対の搬送用孔部１１ａ、１２ａが互いに異なる形状を有することになり、マーキングシート用積層シート１０ａを搬送方向に垂直に見た場合、一方の形状を有する搬送用孔部を左右いずれに配置するのが適正であるかによって表裏を容易に判断することができる。
【００１８】
なお、本実施形態のマーキングシート用積層シート１０ａは、搬送用孔部の形状を円形又は四角形としているが、本発明はこれに限るものでなく、少なくとも１対の搬送用孔部１１ａ、１２ａが互いに異なる形状を有する限りにおいて、楕円形や三角形等も含め、種々の形状の組み合わせを採用することが可能である。
【００１９】
また、本実施形態では、前述のように、搬送シート材３０をマーキングシート２０よりも搬送方向に垂直（図２の紙面の左右方向）に延出させた構成とし、搬送シート材３０のみに搬送用孔部１１ａ、１２ａを形成しているが、搬送シート材３０のみならずマーキングシート２０にも搬送用孔部１１ａ、１２ａを形成することも可能である。
【００２０】
次に、本発明の第２の実施形態に係るマーキングシート用積層シートについて説明する。
図３は、本発明の第２の実施形態に係るマーキングシート用積層シートを部分的に表す平面図である。図３に示すように、本実施形態に係るマーキングシート用積層シート１０ｂは、前述した第１の実施形態と同様の積層構造を有し、搬送方向両側端部に所定のピッチで搬送用孔部１１ｂ、１２ｂが形成されている。本実施形態の積層シート１０ｂは、特に、一方の側端部に形成された搬送用孔部１１ｂ同士が同一の四角形状を有し、他方の側端部に形成された搬送用孔部１２ｂ同士も同一の円形状を有するものとされている。
【００２１】
従って、マーキングシート用積層シート１０ｂを搬送方向に見た場合、各側端部には全て同一の形状の搬送用孔部１１ｂ、１２ｂが配列される一方、搬送方向に垂直に見た場合には、異なる形状の搬送用孔部１１ｂ、１２ｂが配列されているため、表裏の識別が極めて容易である。
【００２２】
なお、本実施形態についても、楕円形や三角形等も含め種々の形状の組み合わせを採用することが可能である点、搬送シート材のみならずマーキングシートにも搬送用孔部１１ｂ、１２ｂを形成した構成とすることも可能である点において、第１の実施形態と同様である。
【００２３】
本発明に係るマーキングシート用積層シートは、以上に述べた第１及び第２の実施形態に限定されるものではなく、搬送方向に垂直に対向する少なくとも一対の搬送用孔部が、互いに異なる形状を有する限りにおいて、種々の形態とすることができる。
【００２４】
【発明の効果】
以上のように、本発明に係るマーキングシート用積層シートによれば、搬送方向に垂直に対向する少なくとも一対の搬送用孔部が、互いに異なる形状を有するため、マーキングシート用積層シートを搬送方向に垂直に見た場合に、一方の形状を有する搬送用孔部を左右いずれに配置するのが適正であるかによって表裏を容易に判断することができるという効果を奏する。
【００２５】
特に、前記搬送シート材の一方の側端部に形成された搬送用孔部同士が互いに同一の形状を有し、他方の側端部に形成された搬送用孔部同士が互いに同一の形状を有するものとした場合には、マーキングシート用積層シートを搬送方向に見た場合、各側端部には全て同一の形状の搬送用孔部が配列される一方、搬送方向に垂直に見た場合には、異なる形状の搬送用孔部が配列されているため、表裏の識別が極めて容易である。
【図面の簡単な説明】
【図１】図１は、本発明の第１の実施形態に係るマーキング用積層シートを部分的に表す平面図である。
【図２】図２は、図１に示すマーキングシート用積層シートを厚み方向に拡大して表す正面図である。
【図３】図３は、本発明の第２の実施形態に係るマーキングシート用積層シートを部分的に表す平面図である。
【符号の説明】
１０ａ、１０ｂ                  マーキングシート用積層シート
１１ａ、１１ｂ、１２ａ、１２ｂ  搬送用孔部
２０                            マーキングシート
３０                            搬送シート材
【図１】
0003597451.tif 000002
【図２】
0003597451.tif 000003
【図３】
0003597451.tif 000004